(57)【要約】【課題】カム溝の配置スペースを確保することができるレンズ鏡筒を提供する。【解決手段】本発明に係わるレンズ鏡筒（１）は、光軸ＯＡ方向に沿って配置された第１レンズ群（Ｌ１）及び第２レンズ群（Ｌ２）と、これらレンズ群の少なくとも一方を駆動して、両レンズ群のレンズ間隔を互いに異なる第１及び第２の間隔との間で変更するとともに、前記第１及び第２の間隔よりも短い第３の間隔に変更する駆動部材（３０）と、互いに異なる第１方向と第２方向とに操作可能な操作部材（２０）とを備え、前記操作部材は、前記第１方向に操作されることで前記駆動部材を駆動して前記レンズ間隔を前記第１の間隔と前記第２の間隔との間で変更し、また前記第２方向に操作されることで、前記駆動部材を前記光軸方向に駆動して前記レンズ間隔を前記第１の間隔と前記第２の間隔の少なくとも一方と前記第３の間隔との間で変更する。【選択図】図１
2011053504.tif 000002
【特許請求の範囲】
【請求項１】
第１のレンズ群と、
前記第１のレンズ群の光軸方向に沿って配置された第２のレンズ群と、
前記第１のレンズ群と前記第２のレンズ群との少なくとも一方を駆動することにより、前記第１のレンズ群と前記第２のレンズ群とのレンズ間隔を、互いに異なる第１および第２の間隔との間で変更するとともに、前記第１および第２の間隔よりも短い第３の間隔に変更する駆動部材と、
互いに異なる第１方向と第２方向とに操作可能な操作部材とを備え、
前記操作部材は、前記第１方向に操作されることにより前記駆動部材を駆動して前記レンズ間隔を前記第１の間隔と前記第２の間隔との間で変更するとともに、前記第２方向に操作されることにより、前記駆動部材を前記光軸方向に駆動して前記レンズ間隔を前記第１の間隔と前記第２の間隔の少なくとも一方と前記第３の間隔との間で変更することを特徴とするレンズ鏡筒。
【請求項２】
請求項１に記載のレンズ鏡筒であって、
前記駆動部材は、前記操作部材を前記第１方向と第２方向とに移動自在に保持するとともに、前記第２方向に形成された第１の溝および当該第１の溝と連続する前記第１方向に形成された第２の溝を内周部に有する固定筒と、前記固定筒の内周部に沿って移動自在に支持された移動筒と、前記操作部材と前記移動筒との間を連結するとともに、前記固定筒の前記第１の溝および前記第２の溝と係合する連動ピンと、を備えることを特徴とするレンズ鏡筒。
【請求項３】
請求項２に記載のレンズ鏡筒であって、
前記第２の溝は、前記第１方向の一方の端部において前記第１の溝の前記第２方向の一方の端部と連続していることを特徴とするレンズ鏡筒。
【請求項４】
請求項２または３に記載のレンズ鏡筒であって、
前記駆動部材は、前記操作部材が前記第１方向または前記第２方向に操作されて前記連動ピンが前記第１の溝と前記第２の溝とが連続する位置に達したときに、前記第１のレンズ群と前記第２のレンズ群とによる前記第２の間隔を最短焦点距離とすることを特徴とするレンズ鏡筒。
【請求項５】
請求項２〜４のいずれか一項に記載のレンズ鏡筒であって、
前記第１の溝は、前記第２の溝と連続する位置において、前記第２の溝に対し略鋭角となる方向に形成されていることを特徴とするレンズ鏡筒。
【発明の詳細な説明】
【技術分野】
【０００１】
本発明は、ズームレンズ群を備えたレンズ鏡筒に関するものである。
【背景技術】
【０００２】
ズームレンズ群を備えたレンズ鏡筒において、ズームレンズ群を通常の撮影位置から、さらにレンズマウント側に移動可能とし、レンズの全長を光軸方向に短くできるように構成されたものが提案されている（例えば、特許文献１参照）。
【先行技術文献】
【特許文献】
【０００３】
【特許文献１】特開平２−２５８１５号公報
【発明の概要】
【発明が解決しようとする課題】
【０００４】
上記従来例は、ズーム操作環を回転操作することによりズーム動作と鏡筒長の短縮動作とを連続して行うようにしたものである。すなわち、通常の回転域でズーム操作環を回転させたときはズーム動作となり、この回転域の一端（例えば、ワイド側）からさらにズーム操作環を回転させると鏡筒長の短縮動作となる。
【０００５】
この従来例では、通常のズーム動作のための回転域に加えて、鏡筒長の短縮動作のための回転域を設ける必要がある。このように、ズーム操作環の回転域が大きくなると、カム溝を形成する範囲も大きくなるため、レンズ鏡筒の内部に複数のカム溝を配置することがスペース的に難しくなる。
【０００６】
本発明の課題は、カム溝を配置するスペースに影響を与えることがないレンズ鏡筒を提供することにある。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、第１のレンズ群（Ｌ１）と、前記第１のレンズ群の光軸方向に沿って配置された第２のレンズ群（Ｌ２）と、前記第１のレンズ群と前記第２のレンズ群との少なくとも一方を駆動することにより、前記第１のレンズ群と前記第２のレンズ群とのレンズ間隔を、互いに異なる第１および第２の間隔との間で変更するとともに、前記第１および第２の間隔よりも短い第３の間隔に変更する駆動部材（３０）と、互いに異なる第１方向（光軸ＯＡ周方向）と第２方向（光軸ＯＡ方向）とに操作可能な操作部材（２０）とを備え、前記操作部材は、前記第１方向に操作されることにより前記駆動部材を駆動して前記レンズ間隔を前記第１の間隔と前記第２の間隔との間で変更するとともに、前記第２方向に操作されることにより、前記駆動部材を前記光軸方向に駆動して前記レンズ間隔を前記第１の間隔と前記第２の間隔の少なくとも一方と前記第３の間隔との間で変更することを特徴とするレンズ鏡筒（１）である。
請求項２に記載の発明は、請求項１に記載のレンズ鏡筒（１）であって、前記駆動部材（３０）は、前記操作部材（２０）を前記第１方向と第２方向とに移動自在に保持するとともに、前記第２方向に形成された第１の溝（１４Ｓ）および当該第１の溝と連続する前記第１方向に形成された第２の溝（１４Ｒ）を内周部に有する固定筒（１０）と、前記固定筒の内周部に沿って移動自在に支持された移動筒（４０）と、前記操作部材と前記移動筒との間を連結するとともに、前記固定筒の前記第１の溝および前記第２の溝と係合する連動ピン（３１）と、を備えることを特徴とする。
請求項３に記載の発明は、請求項２に記載のレンズ鏡筒（１）であって、前記第２の溝（１４Ｒ）は、前記第１方向の一方の端部において前記第１の溝（１４Ｓ）の前記第２方向の一方の端部と連続していることを特徴とする。
請求項４に記載の発明は、請求項２または３に記載のレンズ鏡筒（１）であって、前記駆動部材（３０）は、前記操作部材（２０）が前記第１方向または前記第２方向に操作されて、前記連動ピン（３１）が前記第１の溝（１４Ｓ）と前記第２の溝（１４Ｒ）とが連続する位置に達したときに、前記第１のレンズ群（Ｌ１）と前記第２のレンズ群（Ｌ２）とによる前記第２の間隔を最短焦点距離とすることを特徴とする。
請求項５に記載の発明は、請求項２〜４のいずれか一項に記載のレンズ鏡筒（１）であって、前記第１の溝（１４Ｓ）は、前記第２の溝（１４Ｒ）と連続する位置において、前記第２の溝に対し略鋭角となる方向に形成されていることを特徴とする。
なお、符号を付して説明した構成は、適宜改良してもよく、また、少なくとも一部を他の構成物に代替してもよい。
【発明の効果】
【０００８】
本発明によれば、カム溝を配置するスペースに影響を与えることがないレンズ鏡筒を提供することができる。
【図面の簡単な説明】
【０００９】
【図１】レンズ鏡筒の広角端における縦断面図である。
【図２】レンズ鏡筒の望遠端における縦断面図である。
【図３】レンズ鏡筒の鏡筒長の短縮状態における縦断面図である。
【図４】ガイドスリットの形状と連動ピンの位置との関係を示す図であり、（ａ）は広角端、（ｂ）は望遠端、（ｃ）は鏡筒長の短縮状態を示す。
【図５】直進ガイド孔およびカム孔の形状とカムフォロアの位置との関係を示す図であり、（ａ）は広角端、（ｂ）は望遠端、（ｃ）は鏡筒長の短縮状態を示す。
【発明を実施するための形態】
【００１０】
以下、図面を参照して、本発明の実施形態について説明する。なお、以下に示す各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸ軸プラス方向、上側に向かう方向をＹ軸プラス方向とする。また、正位置において被写体に向かう方向をＺ軸プラス方向とする。また、Ｚ軸プラス側を前側、Ｚ軸マイナス側を後側とも呼称する。さらに、被写体側から見て反時計回りの回転を正回転、時計回りの回転を逆回転とそれぞれ呼称する。
【００１１】
図１は、本発明の一実施形態であるレンズ鏡筒１の光軸ＯＡを含む縦断面図であって、レンズ鏡筒１の広角端における縦断面図を示す。図２は、レンズ鏡筒１の望遠端における縦断面図である。図３は、レンズ鏡筒１の鏡筒長の短縮状態における縦断面図である。本実施形態におけるレンズ鏡筒１は、焦点距離を可変調整可能ないわゆるズームレンズである。
【００１２】
図１から図３に示すように、レンズ鏡筒１は、固定鏡筒１０の内部に、２群のレンズ群（第１レンズ群Ｌ１，第２レンズ群Ｌ２）を備える。第１レンズ群Ｌ１は、レンズ保持筒５０に保持されている。第２レンズ群Ｌ２はレンズ支持枠６０に支持されている。
また、レンズ鏡筒１は、固定鏡筒１０の外周に回転可能に設けられたズーム操作環２０と、このズーム操作環２０の回転操作によって回転駆動されるズームカム筒３０とを備えている。レンズ保持筒５０およびレンズ支持枠６０は、ズーム操作環２０の回転操作によってズームカム筒３０を介して光軸ＯＡ方向に移動する。これにより、レンズ鏡筒１は、図１に示す焦点距離が最も短い広角端から、図２に示す焦点距離が最も長い望遠端との間で、レンズ鏡筒１の焦点距離が変化する。さらに、レンズ鏡筒１は、ズーム操作環２０の直進操作によって、図１に示す広角端から、図３に示す鏡筒長の短縮状態に移行する。この鏡筒長の短縮状態において、レンズ鏡筒１の全長は最もコンパクトになる。
【００１３】
固定鏡筒１０は、固定外筒１１と固定内筒１２とを備える。固定外筒１１と固定内筒１２とは、同心状に構成されている。固定外筒１１と固定内筒１２とは、それぞれ前方側が開放し、後方端は基端部１３で連結一体化している。
固定鏡筒１０の基端部１３（後方側の端）には、レンズマウント環１Ｍが固定されている。レンズマウント環１Ｍは、図示しないカメラボディのボディマウント環に対し着脱自在に構成されている。
【００１４】
固定外筒１１の外周には、ズーム操作環２０が装着されている。ズーム操作環２０は、望遠側から広角側までの間は光軸ＯＡの軸回りに回転操作可能であり、広角端から鏡筒長の短縮状態までの間は光軸ＯＡ方向に直進操作可能に構成されている。
ズーム操作環２０には、後述するズームカム筒３０に植設された連動ピン３１が嵌合している。これにより、ズーム操作環２０とズームカム筒３０とは、連動ピン３１を介して回転方向および直進方向のいずれにも連動するように連結されている。すなわち、ズーム操作環２０の回転および直進方向の移動操作に伴って、ズームカム筒３０は同じように回転および直進方向に移動する。
【００１５】
ズームカム筒３０は、後述するように固定内筒１２の内周側に配設されている。このため、固定外筒１１と固定内筒１２とには、それぞれ連動ピン３１が貫通するガイドスリット１４，１５が形成されている。ガイドスリット１４，１５は、連動ピン３１の移動を規定する所定の形状に形成されている。ガイドスリット１４，１５については後述する。
【００１６】
また、固定内筒１２には、直進ガイド孔１６が光軸ＯＡと平行する方向に形成されている。この直進ガイド孔１６には、後述するレンズ支持枠６０に植設されたカムフォロア６１が嵌合している。これにより、直進ガイド孔１６は、レンズ支持枠６０の移動を案内している。
【００１７】
固定鏡筒１０の前端部の、固定内筒１２と固定外筒１１の内周面との間には、移動筒４０とレンズ保持筒５０とが配設されている。
移動筒４０は、固定内筒１２の先端部外周に、光軸ＯＡ方向に摺動移動可能に嵌合している。移動筒４０の内周にはカム溝４１が形成されている。カム溝４１は、光軸ＯＡに対して所定の角度を有して形成されている。カム溝４１には、後述するズームカム筒３０に植設されたカムピン３２が嵌合している。これにより、移動筒４０は、カムピン３２（ズームカム筒３０）の回転によって、所定の関係で回転しつつ光軸ＯＡ方向に移動操作される。
移動筒４０の先端近傍の外周には、操作突起４２が突設されている。この操作突起４２は、後述するレンズ保持筒５０の内周に形成されたリード溝５１に嵌合している。
【００１８】
レンズ保持筒５０は、移動筒４０の外周に、光軸ＯＡ方向に摺動移動可能に嵌合している。
レンズ保持筒５０は、その前端部に第１レンズ群Ｌ１が装着されている。レンズ保持筒５０の内周には、リード溝５１が形成されている。リード溝５１は、光軸ＯＡに対して所定の角度となるように形成されている。このリード溝５１には、前述したように移動筒４０に植設された操作突起４２が嵌合している。これにより、レンズ保持筒５０は、カムピン３２（ズームカム筒３０）の回転によって、移動筒４０を介して前後方向に移動操作される。
【００１９】
固定内筒１２の内周側には、ズームカム筒３０が配設されている。
ズームカム筒３０は、固定内筒１２の内周に、光軸ＯＡ方向に摺動移動可能に嵌合している。ズームカム筒３０には、内外周を貫通してカム孔３３が形成されている。カム孔３３は、後述する図５に示すように、光軸ＯＡ（Ｚ軸）に対して所定の角度で形成されている。このカム孔３３には、レンズ支持枠６０のカムフォロア６１が嵌合して貫通している。
【００２０】
また、ズームカム筒３０の外周面には、連動ピン３１と、カムピン３２とが植設されている。
連動ピン３１は、ズームカム筒３０の中央やや後端寄りに、その中心線が光軸ＯＡを通るようにズームカム筒３０の径方向に沿って配設されている。連動ピン３１は、前述したように、固定内筒１２のガイドスリット１５および固定外筒１１のガイドスリット１４を貫通し、先端部がズーム操作環２０に係合している。
カムピン３２は、ズームカム筒３０の先端近傍に配設され、前述したように、移動筒４０のカム溝４１に嵌合している。
【００２１】
ズームカム筒３０の内側には、レンズ支持枠６０が配設されている。
レンズ支持枠６０は、前述したように、第２レンズ群Ｌ２を支持し、ズームカム筒３０の内周に光軸ＯＡ方向に摺動移動可能に嵌合している。
レンズ支持枠６０の外周面には、カムフォロア６１が突設されている。カムフォロア６１は、ズームカム筒３０のカム孔３３に嵌合してカム孔３３を内周側から外周側に貫通している。ズームカム筒３０の外周側に突出したカムフォロア６１の先端部は、固定内筒１２に形成された直進ガイド孔１６に嵌合している。
これにより、後述する図５に示すように、レンズ支持枠６０は、ズームカム筒３０の回転に伴ってカム孔３３によって移動操作され、固定内筒１２の直進ガイド孔１６に案内されて光軸ＯＡ方向に移動する。
【００２２】
上記のように構成されたレンズ鏡筒１では、ズーム操作環２０の回転操作によって連動ピン３１を介してズームカム筒３０が回転駆動される。ズームカム筒３０の回転により、そのカムピン３２によって移動筒４０を介してレンズ保持筒５０が光軸ＯＡ方向に移動操作される。また、カム孔３３に嵌合したカムフォロア６１を介して、レンズ支持枠６０が光軸ＯＡ方向に移動操作される。
【００２３】
これにより、レンズ保持筒５０に装着された第１レンズ群Ｌ１と、レンズ支持枠６０に支持された第２レンズ群Ｌ２の、レンズマウント環１Ｍに対する光軸ＯＡ方向の位置および両者の相対位置が変化し、レンズ鏡筒１全体としての焦点距離が変化する。
すなわち、図１に示す焦点距離が最も短い広角端から、第１レンズ群Ｌ１と第２レンズ群Ｌ２とがそれぞれ被写体側に移動してレンズ鏡筒１の焦点距離が変化し、図２に示す焦点距離が最も長い望遠端に至る。なお、第１レンズ群Ｌ１と第２レンズ群Ｌ２の光軸ＯＡ方向における移動量は、それぞれ異なる。
【００２４】
本実施形態では、ズーム操作環２０を逆回転（被写体側から見て時計回に回転）させることで、広角端から望遠端に変化する。このズーム操作は、光軸ＯＡ方向に移動可能であるズーム操作環２０が、その移動可能範囲の内で最も前側の位置において行うことができる。
【００２５】
ここで、レンズ鏡筒１は、前述したように、図１に示す広角端からさらに、図３に示すように鏡筒長の短縮状態とすることができる。鏡筒長を短縮する操作は、図１に示す広角端から、ズーム操作環２０を光軸ＯＡと平行に後側（Ｚ軸マイナス方向）に移動させることによって行う。
次に、この鏡筒長の短縮を可能とする構成について、前述の図１〜図３に加えて、図４および図５を参照して説明する。
【００２６】
図４は、固定外筒１１に形成されたガイドスリット１４の形状と、ズームカム筒３０が備える連動ピン３１の位置との関係を示す図である。図４において、（ａ）は広角端、（ｂ）は望遠端、（ｃ）は鏡筒長の短縮状態をそれぞれ示している。この図４は、固定外筒１１を展開した図となっている。このため、光軸ＯＡ方向となるＺ軸方向のみが正しく表されている（Ｘ軸、Ｙ軸は図示せず）。また、図５は、固定内筒１２に形成された直進ガイド孔１６およびズームカム筒３０に形成されたカム孔３３の形状とレンズ支持枠６０が備えるカムフォロア６１の位置との関係を示す図である。図５において、（ａ）は広角端、（ｂ）は望遠端、（ｃ）は鏡筒長の短縮状態をそれぞれ示している。この図５は、固定内筒１２を展開した図となっている。このため、光軸ＯＡ方向となるＺ軸方向のみが正しく表されている（Ｘ軸、Ｙ軸は図示せず）。
【００２７】
図４に示すように、固定外筒１１に形成されたガイドスリット１４は、光軸ＯＡの軸回りに延設された回転ガイド部１４Ｒの図中上側の端部に、光軸ＯＡと平行に延設された直進部１４Ｓが直交状態で連続した形状となっている。ガイドスリット１４（回転ガイド部１４Ｒおよび直進部１４Ｓ）の幅は、連動ピン３１が摺動移動可能な所定公差に設定されている。
【００２８】
回転ガイド部１４Ｒは、前述したように、光軸ＯＡの周方向に形成されている。回転ガイド部１４Ｒの長さは、広角端から望遠端に至る範囲におけるズーム操作環２０の回転を許容するように設定されている。すなわち、連動ピン３１は、広角端では回転ガイド部１４Ｒの図中上側の端部付近に位置し、望遠端では回転ガイド部１４Ｒの図中下側の端部付近に位置している。
【００２９】
直進部１４Ｓは、前述したように、光軸ＯＡと平行に形成されており、回転ガイド部１４Ｒの、広角端において連動ピン３１が位置する端部と連続している。直進部の長さは、図１に示す広角端から、レンズ支持枠６０の後端（ズームカム筒３０の後端縁と一致している）が、固定鏡筒１０の基端部１３の内面に極めて近接した状態となるまで連動ピン３１が移動可能に設定されている。この直進部１４Ｓの長さは、広角端から鏡筒長の短縮状態に至るストロークに対応している。
【００３０】
一方、図５に示すように、ズームカム筒３０（不図示）に形成されたカム孔３３は、光軸ＯＡに対して所定の角度（すなわち光軸ＯＡと平行な直進ガイド孔１６に対して所定の角度）で形成されている。カム孔３３の幅は、カムフォロア６１が摺動移動可能な所定公差に設定されている。
【００３１】
ズームカム筒３０の周方向におけるカム孔３３の形成範囲は、広角端から望遠端に至る範囲におけるズーム操作環２０の回転角度と対応している。また、光軸ＯＡ方向におけるカム孔３３の形成範囲は、広角端から望遠端に至る範囲におけるレンズ支持枠６０（第２レンズ群Ｌ２）の移動範囲と対応している。
すなわち、カムフォロア６１は、広角端では図５（ａ）に示すようにカム孔３３の図中下側の端部付近に位置し、望遠端では図５（ｂ）に示すようにカム孔３３の図中上側の端部付近に位置する。
【００３２】
直進ガイド孔１６は、前述したように、光軸ＯＡと平行する方向に形成されている。直進ガイド孔１６の長さは、広角端から望遠端に至る範囲におけるレンズ支持枠６０（第２レンズ群Ｌ２）の移動範囲に、さらに、広角端から鏡筒長の短縮状態に至るストローク（ガイドスリット１４における直進部１４Ｓの長さと略等しい）を加えた長さに設定されている。
そして、直進ガイド孔１６に嵌合したカムフォロア６１は、広角端では図５（ａ）に示すように直進ガイド孔１６の略中央付近に位置し、望遠端では図５（ｂ）に示すように直進ガイド孔１６の図中右側の端部付近に位置するように設定されている。
【００３３】
上記のようなガイドスリット１４と直進ガイド孔１６との構成により、レンズ鏡筒１は、図１に示す広角端からズーム操作環２０を後側に（Ｚ軸マイナス方向に）直進操作することで、図３に示すような鏡筒長の短縮状態となる。
【００３４】
すなわち、ズーム操作環２０を、後側に向けて（Ｚ軸マイナス方向に）移動操作すると、連動ピン３１を介して連結されたズームカム筒３０も同様に移動する。このズームカム筒３０の移動に伴って、ズームカム筒３０とカムピン３２を介して連繋している移動筒４０、移動筒４０と操作突起４２を介して連繋しているレンズ保持筒５０、ズームカム筒３０とカムフォロア６１を介して連繋しているレンズ支持枠６０も移動する。
これにより、ズーム操作環２０、移動筒４０、レンズ保持筒５０（第１レンズ群Ｌ１）およびレンズ支持枠６０（第２レンズ群Ｌ２）が後側に移動し、図３に示す鏡筒長の短縮状態となる。
【００３５】
ここで、図１に示す広角端では、図４（ａ）に示すように、連動ピン３１は、ガイドスリット１４における回転ガイド部１４Ｒと直進部１４Ｓとの接続部に位置している。このため、連動ピン３１は、直進部１４Ｓの内部を後側に（Ｚ軸マイナス方向に）移動することができる。鏡筒長の短縮状態では、図４（ｃ）に示すように、連動ピン３１は、ガイドスリット１４における直進部１４Ｓの後側端部（図中右側の端）付近に位置する。
【００３６】
また、広角端では、図５（ａ）に示すように、レンズ支持枠６０に突設されたカムフォロア６１は直進ガイド孔１６の略中央付近に位置している。これにより、カムフォロア６１は直進ガイド孔１６の内部を、さらに背面側に向けて（Ｚ軸マイナス方向に）移動することができる。鏡筒長の短縮状態では、図５（ｃ）に示すように、カムフォロア６１は、直進ガイド孔１６の後側端部（図中右側の端）付近に位置する。
【００３７】
上述した実施形態によれば、以下の効果を奏する。
（１）本実施形態におけるレンズ鏡筒１は、ズーム操作環２０の回転操作によってズーム駆動を行い、ズーム操作環２０の直進操作によって鏡筒長が短縮するように構成されている。これによれば、従来のズーム操作環の回転操作と連続する回転によって鏡筒長を短縮操作する構成と比較して、カム溝を形成する範囲を小さくすることができる。したがって、レンズ鏡筒１の内部に複数条のカム溝を配置するスペースを確保することができる。
（２）従来のズーム操作環の回転操作と連続する回転によって鏡筒長を短縮操作する構成では、広角端の位置を特定できるようにするために、例えばノッチ機構などが必要となる。これに対し本実施形態のレンズ鏡筒１では、鏡筒長の短縮状態からズーム操作環２０を直進操作するだけで広角端の位置を特定することができる。このため、ノッチ機構などが不要となる。また、鏡筒長の短縮操作は、ズーム操作の一方の端である広角端においてのみ可能であり、またズーム操作とは異なる直進操作となる。これによれば、ズーム操作時に誤操作によりレンズ鏡筒１の鏡筒長を短縮させてしまうおそれが少ない。
【００３８】
（変形形態）
以上、説明した実施形態に限定されることなく、以下に示すような種々の変形や変更が可能であり、それらも本発明の範囲内である。
（１）本実施形態において、レンズ鏡筒１の固定外筒１１に形成されたガイドスリット１４は、光軸ＯＡ方向と直交する方向に延設された回転ガイド部１４Ｒに対し、光軸ＯＡと平行に延設された直進部１４Ｓが直交状態で連続した形状となっている。しかし、回転ガイド部１４Ｒに対する直進部１４Ｓの交差角を、直角より鋭角（例えば７０°以下など）に設定しても良い。このような構成とすることにより、鏡筒長の短縮状態からレンズ鏡筒１が自重で繰り出してしまう不具合を抑制することができる。
【００３９】
（２）本実施形態では、広角端において鏡筒長を短縮する構成について示したが、これに限らず、望遠端において鏡筒長を短縮するように構成しても良い。
なお、上述した実施形態および変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００４０】
１：レンズ鏡筒、１０：固定鏡筒、１１：固定外筒、１２：固定内筒、１４，１５：ガイドスリット、１４Ｒ：回転ガイド部、１４Ｓ：直進部、１６：直進ガイド孔、２０：ズーム操作環、３０：ズームカム筒、３１：連動ピン、４０：移動筒、５０：レンズ保持筒、ＯＡ：光軸、Ｌ１：第１レンズ群、Ｌ２：第２レンズ群
【図１】
2011053504.tif 000003
【図２】
2011053504.tif 000004
【図３】
2011053504.tif 000005
【図４】
2011053504.tif 000006
【図５】
2011053504.tif 000007